(57)【特許請求の範囲】
【請求項１】
ネットワークを通じて通信する通信端末装置において、
セッション開始プロトコル拡張（SIP Extension: Session Initiation Protocol Extension）にしたがって、セッションを確立する通信手段と、
当該通信端末装置に対するデバイスの接続状況を検出する検出手段と、
この通信手段がセッションを確立した後に、前記検出手段がデバイスの接続状況の変化を検出した場合に、前記検出手段が検出した接続状況に基づく機能（Capability）情報を含むオプション（OPTIONS）メッセージを生成し、前記通信手段を制御して通信相手に宛てて、前記オプションメッセージを送信する制御手段とを具備することを特徴とする通信端末装置。
【請求項２】
ネットワークを通じて通信する通信端末装置において、
セッション開始プロトコル拡張（SIP Extension: Session Initiation Protocol Extension）にしたがって、セッションを確立する通信手段と、
当該通信端末装置に対するデバイスの接続状況を検出する検出手段と、
予め設定した時間が経過する毎に、前記検出手段が検出した接続状況に基づく機能（Capability）情報を含むオプション（OPTIONS）メッセージを生成し、前記通信手段を制御して通信相手に宛てて、前記オプションメッセージを送信する制御手段とを具備することを特徴とする通信端末装置。
【発明の詳細な説明】
【技術分野】
【０００１】
この発明は、例えばCS（ベアラサービス）とIMS（IPマルチメディアサービス）などの２つのサービスの統合網（Combination）におけるUE（User Equipment：ユーザ装置）間のCapability Information Exchange（機能情報交換）に関する。
【背景技術】
【０００２】
近時、現在使用されているCS Bearer（回線交換ベアラ）サービス網と、IP技術をプラットフォームとしたIP Multimediaサービス網（IMS網）との結合サービス（CSI：Combination of CS and IMS Services）の実行可能性の検討（Feasibility Study）が3GPP（The 3rd Generation Partnership Project：第３世代移動体通信システムの標準化団体）Release６にて検討された。その結果はTR23.899として報告されている（例えば、非特許文献１および非特許文献２参照）。
【０００３】
CSサービスとIMSサービスを同時にオペレーション可能なInter-workingアーキテクチャ面メカニズム、接続手順はCombining CS and IMS (TS-23.279) Release-7として、規定化が２００５年７月現在の時点で進められている。上記TS-23.279においては、UE間のCS CallのSet UpとIMS Session確立時に、以下に示す情報要素をUE間で交換が必要と記載されている（Capability  Exchange ）。
【０００４】
It shall be possible to exchange the UE capabilities described below in this subclause. Note that the exchange of these capabilities is subject to the availability of the information and privacy control. 
-IMS Media types which can be supported as IMS media streams (i.e. media component definitions of IMS sessions).
-Media format parameters for supported IMS media types (codecs, media file formats etc.).
-MSISDN and preferred SIP URI for the UE sending the UE capability information
Additionally, it shall be possible for the UE to use IMS to exchange capability information about:
-CS video telephony capability
-CS voice capability
-MMS version supported
-Support for other IMS based capabilities or services e.g. PoC
ところで、UEは、CS Call setおよびIMS Session確立時のINVITEにて、通信相手となるUEと、UE Capability Exchangeを行い、両UEは相手のCapability情報をキャッシュにストアするようにしている。
【０００５】
しかしながら、Call SetupおよびIMS Session確立後に、UEのCapabilityが変更された場合には、Capability情報の交換が行われないため、現時点の状態と矛盾することがあるという問題があった。
【非特許文献１】3GPP TR 23.899 V1.2.0（2005年6月21日発行）
【非特許文献２】3GPP TS 23.279 V2.1.0（2005年7月発行）
【発明の開示】
【発明が解決しようとする課題】
【０００６】
従来の通信端末装置では、Call SetupおよびIMS Session確立後に、UEのCapabilityが変更された場合には、Capability情報の交換が行われないため、現時点の状態と矛盾することがあるという問題があった。
【０００７】
この発明は上記の問題を解決すべくなされたもので、Call Set upおよびIMS Session確立時以外でもUEのキャッシュのリフレッシュおよびCapability情報の最新のアップデート交換が可能な通信端末装置を提供することを目的とする。
【課題を解決するための手段】
【０００８】
上記の目的を達成するために、この発明は、ネットワークを通じて通信する通信端末装置において、セッション開始プロトコル拡張（SIP Extension: Session Initiation Protocol Extension）にしたがって、セッションを確立する通信手段と、当該通信端末装置に対するデバイスの接続状況を検出する検出手段と、この通信手段がセッションを確立した後に、検出手段がデバイスの接続状況の変化を検出した場合に、検出手段が検出した接続状況に基づく機能（Capability）情報を含むオプション（OPTIONS）メッセージを生成し、通信手段を制御して通信相手に宛てて、オプションメッセージを送信する制御手段とを具備して構成するようにした。
【発明の効果】
【０００９】
この発明によれば、Call Set upおよびIMS Session確立時以外でもUEのキャッシュのリフレッシュおよび機能（Capability）情報の最新のアップデート交換が可能な通信端末装置を提供できる。
【発明を実施するための最良の形態】
【００１０】
以下、図面を参照して、この発明の一実施形態について説明する。  
図１は、この発明の一実施形態に係わる通信端末装置（UE：User Equipment）１００とこれに収容される端末（Device）１１〜１ｎの関係を示すものである。通信端末装置１００は、複数の端末１１〜１ｎを収容するインターフェースを備え、このインターフェースに接続される端末１１〜１ｎを検出し、端末１１〜１ｎに対応づけて、それぞれＩＤ情報を付与し、この情報をConfiguration情報として記憶部１０１に記録する。記憶部１０１は、通信端末装置１００のキャッシュメモリの役割を担う。なお、通信端末装置１００は、CS(Circuit Switched) Coreネットワークや、IMS(IP Multimedia Core Network Subsystem)ネットワークに接続し、通信を行うためのハードウエアおよびソフトウェアを備える。
【００１１】
次に、上記構成の通信端末装置１００の動作について説明する。図２は、第１の実施形態として、上記通信端末装置１００の１つであるＵＥ−Ａが、他の通信端末装置１００であるＵＥ−Ｂと通信する場合のシーケンスを示すものである。通信端末装置ＵＥ−Ａと通信端末装置ＵＥ−Ｂとの間には、IMSネットワークにおいて、IMS Core(A)およびIMS Core(B)が介在し、またCS Coreネットワークにおいて、CS Domain(A)およびCS Domain(B)が介在している。
【００１２】
まず、通信端末装置ＵＥ−Ａと通信端末装置ＵＥ−Ｂとの間では、CS Call Setupがなされる（Ｓ１０１）。続いて、通信端末装置ＵＥ−Ａと通信端末装置ＵＥ−Ｂとの間では、IMS Capability exchangeがなされ、通信端末装置ＵＥ−Ａと通信端末装置ＵＥ−Ｂとの間で、機能（Capability）情報が交換される（Ｓ１０２）。
【００１３】
ここで交換されるCapability情報は、例えば図３に示すような情報である。すなわち、TS23.279に記述されるUE Capability基本情報に加え、通信端末装置１００の構成を示すUE Configuration情報、通信端末装置１００に接続される端末１１〜１ｎの上記ＩＤ情報を含む。この情報は、通信端末装置１００が生成して記憶部１０１に記録し、必要に応じて読み出して、通信相手の端末に送信する。
【００１４】
次に、通信端末装置ＵＥ−Ａは、図示しない表示部に点灯表示された選択肢から、ユーザＡが操作部（図示しない）を操作してIMSサービスを選択したのを検出する（Ｓ１０３）。すると、通信端末装置ＵＥ−Ａは、セッション開始プロトコル（SIP: Session Initiation Protocol）にしたがって、IMS Core(A)に対して、INVITEメッセージを送信する（Ｓ１０４）。これを受信したIMS Core(A)は、IMS Core(B)に対して、INVITEメッセージを送信する（Ｓ１０５）。これを受信したIMS Core(B)は、通信端末装置ＵＥ−Ｂに対して、INVITEメッセージを送信する（Ｓ１０６）。
【００１５】
INVITEメッセージを受信した通信端末装置ＵＥ−Ｂは、IMSサービスの開始を受け入れるかをユーザに報知し、その後、操作部をユーザＢが操作して、上記IMSサービスの開始を受け入れる指示を受け付ける（Ｓ１０７）。続いて、通信端末装置ＵＥ−Ｂは、上記INVITEメッセージに対し、リクエストが成功した旨を示す200OKメッセージをIMS Core(B)に対して送信する（Ｓ１０８）。これを受信したIMS Core(B)は、IMS Core(A)に対して、200OKメッセージを送信する（Ｓ１０９）。これを受信したIMS Core(A)は、通信端末装置ＵＥ−Ａに対して、200OKメッセージを送信する（Ｓ１１０）。
【００１６】
200OKメッセージを受信した通信端末装置ＵＥ−Ａは、上記200OKメッセージを受信した旨を示すACKメッセージをIMS Core(A)に対して送信する（Ｓ１１１）。これを受信したIMS Core(A)は、IMS Core(B)に対して、ACKメッセージを送信する（Ｓ１１２）。これを受信したIMS Core(B)は、通信端末装置ＵＥ−Ｂに対して、ACKメッセージを送信する（Ｓ１１３）。そして、通信端末装置ＵＥ−Ｂが上記ACKメッセージを受信することにより、Media sessionが確立する（Ｓ１１４）。
【００１７】
やがて、通信端末装置ＵＥ−Ａにおいて、新たに端末が接続されたり、あるいは端末が取り外されたりした場合、あるいは通信端末装置ＵＥ−Ａに内蔵されるCodecなどが追加、変更あるいは削除された場合に、その変化に応じて、通信端末装置ＵＥ−Ａは、記憶部１０１に記憶されるUE Capability基本情報やUE Configuration情報を変更する（Ｓ１１５）。
【００１８】
このようにしてDevice情報に変更が生じると、通信端末装置ＵＥ−Ａは、通信端末装置ＵＥ−Ｂとの間で、再度、IMS Capability exchangeがなされ、通信端末装置ＵＥ−Ａと通信端末装置ＵＥ−Ｂとの間で、Capability情報が交換される（Ｓ１１６）。ここで交換されるCapability情報は、例えば図３に示したような情報であり、Ｓ１１５で更新されたものである。
【００１９】
次に、通信端末装置ＵＥ−Ａは、図示しない表示部に点灯表示された選択肢から、ユーザＡが操作部（図示しない）を操作してIMSサービスを選択したのを検出する（Ｓ１１７）。すると、通信端末装置ＵＥ−Ａは、ＳＩＰ（Session Initiation Protocol）にしたがって、IMS Core(A)に対して、INVITEメッセージを送信する（Ｓ１１８）。これを受信したIMS Core(A)は、IMS Core(B)に対して、INVITEメッセージを送信する（Ｓ１１９）。これを受信したIMS Core(B)は、通信端末装置ＵＥ−Ｂに対して、INVITEメッセージを送信する（Ｓ１２０）。
【００２０】
INVITEメッセージを受信した通信端末装置ＵＥ−Ｂは、IMSサービスの開始を受け入れるかをユーザに報知し、その後、操作部をユーザＢが操作して、上記IMSサービスの開始を受け入れる指示を受け付ける（Ｓ１２１）。続いて、通信端末装置ＵＥ−Ｂは、上記INVITEメッセージに対し、リクエストが成功した旨を示す200OKメッセージをIMS Core(B)に対して送信する（Ｓ１２２）。これを受信したIMS Core(B)は、IMS Core(A)に対して、200OKメッセージを送信する（Ｓ１２３）。これを受信したIMS Core(A)は、通信端末装置ＵＥ−Ａに対して、200OKメッセージを送信する（Ｓ１２４）。
【００２１】
200OKメッセージを受信した通信端末装置ＵＥ−Ａは、上記200OKメッセージを受信した旨を示すACKメッセージをIMS Core(A)に対して送信する（Ｓ１２５）。これを受信したIMS Core(A)は、IMS Core(B)に対して、ACKメッセージを送信する（Ｓ１２６）。これを受信したIMS Core(B)は、通信端末装置ＵＥ−Ｂに対して、ACKメッセージを送信する（Ｓ１２７）。そして、通信端末装置ＵＥ−Ｂが上記ACKメッセージを受信することにより、Media sessionが確立する（Ｓ１２８）。
【００２２】
以上のように、上記構成の通信端末装置では、セッションが確立した後に、Device情報に変更が生じると、これを検出し、更新したCapability情報を通信相手と交換するようにしている。
【００２３】
したがって、上記構成の通信端末装置によれば、Call Set upおよびIMS Session確立時以外でもUEのキャッシュのリフレッシュおよびCapability情報の最新のアップデート交換ができる。
【００２４】
次に、第２の実施形態について説明する。なお、この実施形態に係わる通信端末装置１００の構成は、図１に示したものと同様であることより、ここでは構成についての説明は省略する。
【００２５】
第２の実施形態に係わる動作シーケンスを図４に示す。この図は、上記通信端末装置１００の１つであるＵＥ−Ａが、他の通信端末装置１００であるＵＥ−Ｂと通信する場合のシーケンスを示すものである。通信端末装置ＵＥ−Ａと通信端末装置ＵＥ−Ｂとの間には、IMSネットワークにおいて、IMS Core(A)およびIMS Core(B)が介在し、またCS Coreネットワークにおいて、CS Domain(A)およびCS Domain(B)が介在している。
【００２６】
まず、通信端末装置ＵＥ−Ａは、セッション開始プロトコル拡張（SIP Extension: Session Initiation Protocol Extension）にしたがって、IMS Core(A)に対して、オプション（OPTIONS）メッセージを送信する（Ｓ２０１）。なお、このOPTIONSメッセージには、通信端末装置ＵＥ−Ａが選択した指示（caller preferences）と、通信端末装置ＵＥ−ＡのCapability情報（caller capability）が含まれる。
【００２７】
これを受信したIMS Core(A)は、IMS Core(B)に対して、OPTIONSメッセージを送信する（Ｓ２０２）。これを受信したIMS Core(B)は、OPTIONSメッセージに含まれるcaller preferencesと、caller capabilityに基づいて、通信端末装置ＵＥ−Ｂまでのルーティングを行い（Ｓ２０３）、このルーティングにしたがって、通信端末装置ＵＥ−ＢにOPTIONSメッセージを送信する（Ｓ２０４）。
【００２８】
OPTIONSメッセージを受信した通信端末装置ＵＥ−Ｂは、記憶部１０１にキャッシュしている通信端末装置ＵＥ−ＡのCapability情報を、上記OPTIONSメッセージに含まれる情報でアップデートする（Ｓ２０５）。
【００２９】
続いて、通信端末装置ＵＥ−Ｂは、上記OPTIONSメッセージに対し、リクエストが成功した旨を示す200OKメッセージをIMS Core(B)に対して送信する（Ｓ２０６）。これを受信したIMS Core(B)は、IMS Core(A)に対して、200OKメッセージを送信する（Ｓ２０７）。これを受信したIMS Core(A)は、通信端末装置ＵＥ−Ａに対して、200OKメッセージを送信する（Ｓ２０８）。
【００３０】
OPTIONSメッセージを受信した通信端末装置ＵＥ−Ａは、記憶部１０１にキャッシュしている通信端末装置ＵＥ−ＢのCapability情報を、上記200OKメッセージに含まれる情報でアップデートする（Ｓ２０９）。
【００３１】
やがて、通信端末装置ＵＥ−Ａにおいて、新たに端末が接続されたり、あるいは端末が取り外されたりした場合、あるいは通信端末装置ＵＥ−Ａに内蔵されるCodecなどが追加、変更あるいは削除された場合に、その変化に応じて、通信端末装置ＵＥ−Ａは、記憶部１０１に記憶されるUE Capability基本情報やUE Configuration情報を変更する（Ｓ２１０）。
【００３２】
このようにしてDevice情報に変更が生じると、通信端末装置ＵＥ−Ａは、通信端末装置ＵＥ−Ｂに対して、再度、SIP Extensionにしたがって、OPTIONSメッセージを送信する（Ｓ２１１）。なお、このOPTIONSメッセージには、通信端末装置ＵＥ−Ａが選択した指示（caller preferences）と、通信端末装置ＵＥ−ＡのCapability情報（caller capability）が含まれる。
【００３３】
これを受信したIMS Core(A)は、IMS Core(B)に対して、OPTIONSメッセージを送信する（Ｓ２１２）。これを受信したIMS Core(B)は、OPTIONSメッセージに含まれるcaller preferencesと、caller capabilityに基づいて、通信端末装置ＵＥ−Ｂまでのルーティングを行い（Ｓ２１３）、このルーティングにしたがって、通信端末装置ＵＥ−ＢにOPTIONSメッセージを送信する（Ｓ２１４）。
【００３４】
OPTIONSメッセージを受信した通信端末装置ＵＥ−Ｂは、記憶部１０１にキャッシュしている通信端末装置ＵＥ−ＡのCapability情報を、上記OPTIONSメッセージに含まれる情報でアップデートする（Ｓ２１５）。
【００３５】
続いて、通信端末装置ＵＥ−Ｂは、上記OPTIONSメッセージに対し、リクエストが成功した旨を示す200OKメッセージをIMS Core(B)に対して送信する（Ｓ２１６）。これを受信したIMS Core(B)は、IMS Core(A)に対して、200OKメッセージを送信する（Ｓ２１７）。これを受信したIMS Core(A)は、通信端末装置ＵＥ−Ａに対して、200OKメッセージを送信する（Ｓ２１８）。
【００３６】
OPTIONSメッセージを受信した通信端末装置ＵＥ−Ａは、記憶部１０１にキャッシュしている通信端末装置ＵＥ−ＢのCapability情報を、上記200OKメッセージに含まれる情報でアップデートする（Ｓ２１９）。
【００３７】
以上のように、上記構成の通信端末装置では、セッションが確立した後に、Device情報に変更が生じると、これを検出し、更新したCapability情報をSIP ExtensionのOPTIONSメッセージを通じて、通信相手と交換するようにしている。
【００３８】
したがって、上記構成の通信端末装置によれば、Call Set upおよびIMS Session確立時以外でもUEのキャッシュのリフレッシュおよびCapability情報の最新のアップデート交換ができる。
【００３９】
次に、第３の実施形態について説明する。なお、この実施形態に係わる通信端末装置１００の構成は、図１に示したものと同様であることより、ここでは構成についての説明は省略する。
【００４０】
第３の実施形態に係わる動作シーケンスを図５に示す。この図は、上記通信端末装置１００の１つであるＵＥ−Ａが、他の通信端末装置１００であるＵＥ−Ｂと通信する場合のシーケンスを示すものである。通信端末装置ＵＥ−Ａと通信端末装置ＵＥ−Ｂとの間には、IMSネットワークにおいて、IMS Core(A)およびIMS Core(B)が介在し、またCS Coreネットワークにおいて、CS Domain(A)およびCS Domain(B)が介在している。
【００４１】
まず、通信端末装置ＵＥ−Ａと通信端末装置ＵＥ−Ｂとの間では、CS Call Setupがなされる（Ｓ３０１）。続いて、通信端末装置ＵＥ−Ａと通信端末装置ＵＥ−Ｂとの間では、IMS Capability exchangeがなされ、通信端末装置ＵＥ−Ａと通信端末装置ＵＥ−Ｂとの間で、Capability情報が交換され（Ｓ３０２）、その後、通信端末装置ＵＥ−Ａは、予め設定された時間をカウントダウンするタイマを起動する（Ｓ３０２ａ）。
【００４２】
ここで交換されるCapability情報は、例えば図３に示すような情報である。すなわち、TS23.279に記述されるUE Capability基本情報に加え、通信端末装置１００の構成を示すUE Configuration情報、通信端末装置１００に接続される端末１１〜１ｎの上記ＩＤ情報を含む。この情報は、通信端末装置１００が生成して記憶部１０１に記録し、必要に応じて読み出して、通信相手の端末に送信する。
【００４３】
次に、通信端末装置ＵＥ−Ａは、図示しない表示部に点灯表示された選択肢から、ユーザＡが操作部（図示しない）を操作してIMSサービスを選択したのを検出する（Ｓ３０３）。すると、通信端末装置ＵＥ−Ａは、SIP（Session Initiation Protocol）にしたがって、IMS Core(A)に対して、INVITEメッセージを送信する（Ｓ３０４）。これを受信したIMS Core(A)は、IMS Core(B)に対して、INVITEメッセージを送信する（Ｓ３０５）。これを受信したIMS Core(B)は、通信端末装置ＵＥ−Ｂに対して、INVITEメッセージを送信する（Ｓ３０６）。
【００４４】
INVITEメッセージを受信した通信端末装置ＵＥ−Ｂは、IMSサービスの開始を受け入れるかをユーザに報知し、その後、操作部をユーザＢが操作して、上記IMSサービスの開始を受け入れる指示を受け付ける（Ｓ３０７）。続いて、通信端末装置ＵＥ−Ｂは、上記INVITEメッセージに対し、リクエストが成功した旨を示す200OKメッセージをIMS Core(B)に対して送信する（Ｓ３０８）。これを受信したIMS Core(B)は、IMS Core(A)に対して、200OKメッセージを送信する（Ｓ３０９）。これを受信したIMS Core(A)は、通信端末装置ＵＥ−Ａに対して、200OKメッセージを送信する（Ｓ３１０）。
【００４５】
200OKメッセージを受信した通信端末装置ＵＥ−Ａは、上記200OKメッセージを受信した旨を示すACKメッセージをIMS Core(A)に対して送信する（Ｓ３１１）。これを受信したIMS Core(A)は、IMS Core(B)に対して、ACKメッセージを送信する（Ｓ３１２）。これを受信したIMS Core(B)は、通信端末装置ＵＥ−Ｂに対して、ACKメッセージを送信する（Ｓ３１３）。そして、通信端末装置ＵＥ−Ｂが上記ACKメッセージを受信することにより、Media sessionが確立する（Ｓ３１４）。
【００４６】
やがて、通信端末装置ＵＥ−Ａにおいて、Ｓ３０２ａで起動したタイマがタイムアウトすると、Ｓ３０２からこの時点までに、新たに端末が接続されたり、あるいは端末が取り外されたり、通信端末装置ＵＥ−Ａに内蔵されるCodecなどの追加、変更あるいは削除の変化に応じて、通信端末装置ＵＥ−Ａは、記憶部１０１に記憶されるUE Capability基本情報やUE Configuration情報を変更する（Ｓ３１５）。なお、Ｓ３１５において、通信端末装置ＵＥ−Ａは、Ｓ３０２ａと同様にして、予め設定された時間をカウントダウンするタイマを再起動する。
【００４７】
そして通信端末装置ＵＥ−Ａは、通信端末装置ＵＥ−Ｂとの間で、再度、IMS Capability exchangeがなされ、通信端末装置ＵＥ−Ａと通信端末装置ＵＥ−Ｂとの間で、Capability情報が交換される（Ｓ３１６）。ここで交換されるCapability情報は、例えば図３に示したような情報であり、Ｓ３１５で更新されたものである。
【００４８】
次に、通信端末装置ＵＥ−Ａは、図示しない表示部に点灯表示された選択肢から、ユーザＡが操作部（図示しない）を操作してIMSサービスを選択したのを検出する（Ｓ３１７）。すると、通信端末装置ＵＥ−Ａは、ＳＩＰ（Session Initiation Protocol）にしたがって、IMS Core(A)に対して、INVITEメッセージを送信する（Ｓ３１８）。これを受信したIMS Core(A)は、IMS Core(B)に対して、INVITEメッセージを送信する（Ｓ３１９）。これを受信したIMS Core(B)は、通信端末装置ＵＥ−Ｂに対して、INVITEメッセージを送信する（Ｓ３２０）。
【００４９】
INVITEメッセージを受信した通信端末装置ＵＥ−Ｂは、IMSサービスの開始を受け入れるかをユーザに報知し、その後、操作部をユーザＢが操作して、上記IMSサービスの開始を受け入れる指示を受け付ける（Ｓ３２１）。続いて、通信端末装置ＵＥ−Ｂは、上記INVITEメッセージに対し、リクエストが成功した旨を示す200OKメッセージをIMS Core(B)に対して送信する（Ｓ３２２）。これを受信したIMS Core(B)は、IMS Core(A)に対して、200OKメッセージを送信する（Ｓ３２３）。これを受信したIMS Core(A)は、通信端末装置ＵＥ−Ａに対して、200OKメッセージを送信する（Ｓ３２４）。
【００５０】
200OKメッセージを受信した通信端末装置ＵＥ−Ａは、上記200OKメッセージを受信した旨を示すACKメッセージをIMS Core(A)に対して送信する（Ｓ３２５）。これを受信したIMS Core(A)は、IMS Core(B)に対して、ACKメッセージを送信する（Ｓ３２６）。これを受信したIMS Core(B)は、通信端末装置ＵＥ−Ｂに対して、ACKメッセージを送信する（Ｓ３２７）。そして、通信端末装置ＵＥ−Ｂが上記ACKメッセージを受信することにより、Media sessionが確立する（Ｓ３２８）。
【００５１】
以上のように、上記構成の通信端末装置では、セッションが確立した後に、所定の時間が経過すると、その時点でのDevice情報に変更を検出し、更新したCapability情報を通信相手と交換するようにしている。
【００５２】
したがって、上記構成の通信端末装置によれば、Call Set upおよびIMS Session確立時以外でもUEのキャッシュのリフレッシュおよびCapability情報の最新のアップデート交換ができる。
【００５３】
次に、第４の実施形態について説明する。なお、この実施形態に係わる通信端末装置１００の構成は、図１に示したものと同様であることより、ここでは構成についての説明は省略する。
【００５４】
第４の実施形態に係わる動作シーケンスを図６に示す。この図は、上記通信端末装置１００の１つであるＵＥ−Ａが、他の通信端末装置１００であるＵＥ−Ｂと通信する場合のシーケンスを示すものである。通信端末装置ＵＥ−Ａと通信端末装置ＵＥ−Ｂとの間には、IMSネットワークにおいて、IMS Core(A)およびIMS Core(B)が介在し、またCS Coreネットワークにおいて、CS Domain(A)およびCS Domain(B)が介在している。
【００５５】
まず、通信端末装置ＵＥ−Ａは、予め設定された時間をカウントダウンするタイマを起動し（Ｓ４００）、SIP（Session Initiation Protocol） Extensionにしたがって、IMS Core(A)に対して、OPTIONSメッセージを送信する（Ｓ４０１）。なお、このOPTIONSメッセージには、通信端末装置ＵＥ−Ａが選択した指示（caller preferences）と、通信端末装置ＵＥ−ＡのCapability情報（caller capability）が含まれる。
【００５６】
これを受信したIMS Core(A)は、IMS Core(B)に対して、OPTIONSメッセージを送信する（Ｓ４０２）。これを受信したIMS Core(B)は、OPTIONSメッセージに含まれるcaller preferencesと、caller capabilityに基づいて、通信端末装置ＵＥ−Ｂまでのルーティングを行い（Ｓ４０３）、このルーティングにしたがって、通信端末装置ＵＥ−ＢにOPTIONSメッセージを送信する（Ｓ４０４）。
【００５７】
OPTIONSメッセージを受信した通信端末装置ＵＥ−Ｂは、記憶部１０１にキャッシュしている通信端末装置ＵＥ−ＡのCapability情報を、上記OPTIONSメッセージに含まれる情報でアップデートする（Ｓ４０５）。
【００５８】
続いて、通信端末装置ＵＥ−Ｂは、上記OPTIONSメッセージに対し、リクエストが成功した旨を示す200OKメッセージをIMS Core(B)に対して送信する（Ｓ４０６）。これを受信したIMS Core(B)は、IMS Core(A)に対して、200OKメッセージを送信する（Ｓ４０７）。これを受信したIMS Core(A)は、通信端末装置ＵＥ−Ａに対して、200OKメッセージを送信する（Ｓ４０８）。
【００５９】
OPTIONSメッセージを受信した通信端末装置ＵＥ−Ａは、記憶部１０１にキャッシュしている通信端末装置ＵＥ−ＢのCapability情報を、上記200OKメッセージに含まれる情報でアップデートする（Ｓ４０９）。
【００６０】
やがて、通信端末装置ＵＥ−Ａにおいて、Ｓ２００で起動したタイマがタイムアウトすると、Ｓ４００からこの時点までに、新たに端末が接続されたり、あるいは端末が取り外されたり、通信端末装置ＵＥ−Ａに内蔵されるCodecなどの追加、変更あるいは削除の変化に応じて、通信端末装置ＵＥ−Ａは、記憶部１０１に記憶されるUE Capability基本情報やUE Configuration情報を変更する（Ｓ４１０）。
【００６１】
このようにしてDevice情報に変更が生じると、通信端末装置ＵＥ−Ａは、通信端末装置ＵＥ−Ｂに対して、再度、SIP Extensionにしたがって、OPTIONSメッセージを送信する（Ｓ４１１）。なお、このOPTIONSメッセージには、通信端末装置ＵＥ−Ａが選択した指示（caller preferences）と、通信端末装置ＵＥ−ＡのCapability情報（caller capability）が含まれる。
【００６２】
これを受信したIMS Core(A)は、IMS Core(B)に対して、OPTIONSメッセージを送信する（Ｓ４１２）。これを受信したIMS Core(B)は、OPTIONSメッセージに含まれるcaller preferencesと、caller capabilityに基づいて、通信端末装置ＵＥ−Ｂまでのルーティングを行い（Ｓ４１３）、このルーティングにしたがって、通信端末装置ＵＥ−ＢにOPTIONSメッセージを送信する（Ｓ４１４）。
【００６３】
OPTIONSメッセージを受信した通信端末装置ＵＥ−Ｂは、記憶部１０１にキャッシュしている通信端末装置ＵＥ−ＡのCapability情報を、上記OPTIONSメッセージに含まれる情報でアップデートする（Ｓ４１５）。
【００６４】
続いて、通信端末装置ＵＥ−Ｂは、上記OPTIONSメッセージに対し、リクエストが成功した旨を示す200OKメッセージをIMS Core(B)に対して送信する（Ｓ４１６）。これを受信したIMS Core(B)は、IMS Core(A)に対して、200OKメッセージを送信する（Ｓ４１７）。これを受信したIMS Core(A)は、通信端末装置ＵＥ−Ａに対して、200OKメッセージを送信する（Ｓ４１８）。
【００６５】
OPTIONSメッセージを受信した通信端末装置ＵＥ−Ａは、記憶部１０１にキャッシュしている通信端末装置ＵＥ−ＢのCapability情報を、上記200OKメッセージに含まれる情報でアップデートする（Ｓ４１９）。
【００６６】
以上のように、上記構成の通信端末装置では、セッションが確立した後に、所定の時間が経過すると、その時点でのDevice情報に変更を検出し、更新したCapability情報をSIP ExtensionのOPTIONSメッセージを通じて、通信相手と交換するようにしている。
【００６７】
したがって、上記構成の通信端末装置によれば、Call Set upおよびIMS Session確立時以外でもUEのキャッシュのリフレッシュおよびCapability情報の最新のアップデート交換ができる。
【００６８】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６９】
その一例として例えば、上記実施の形態では、通信端末装置１００は、CS Coreネットワークや、IMSネットワークとの接続で、有線回線を通じて接続する構成でもよいし、無線回線を通じて接続する構成でもよい。  
その他、この発明の要旨を逸脱しない範囲で種々の変形を施しても同様に実施可能であることはいうまでもない。
【図面の簡単な説明】
【００７０】
【図１】この発明に係わる通信端末装置の構成を示す回路ブロック図。
【図２】この発明の第１の実施形態に係わる通信端末装置の動作を説明するためのシーケンス図。
【図３】この発明に係わる通信端末装置が相手側の通信端末装置に送信するCapability情報を説明するための図。
【図４】この発明の第２の実施形態に係わる通信端末装置の動作を説明するためのシーケンス図。
【図５】この発明の第３の実施形態に係わる通信端末装置の動作を説明するためのシーケンス図。
【図６】この発明の第４の実施形態に係わる通信端末装置の動作を説明するためのシーケンス図。
【符号の説明】
【００７１】
１００，ＵＥ−Ａ，ＵＥ−Ｂ…通信端末装置、１０１…記憶部、１１〜１ｎ…端末（Device）。
【図１】
0004653597.tif 000002
【図２】
0004653597.tif 000003
【図３】
0004653597.tif 000004
【図４】
0004653597.tif 000005
【図５】
0004653597.tif 000006
【図６】
0004653597.tif 000007